【手続補正書】
【提出日】平成28年8月24日(2016.8.24)
【手続補正１】
【補正対象書類名】特許請求の範囲
【補正対象項目名】全文
【補正方法】変更
【補正の内容】
【特許請求の範囲】
【請求項１】
ビデオデータを復号するための方法であって、前記ビデオデータは１つまたは複数のアクセスユニット（ＡＵ）を備え、前記１つまたは複数のＡＵの各々は、１つまたは複数の復号ユニット（ＤＵ）を備え、前記方法は、
ＡＵについて、第１のシンタックス要素の値を決定することと、前記値は、前記ＡＵが２つ以上のＤＵを備えるかどうかをシグナリングする、
前記ＡＵレベルとサブピクチャレベルの両方で、前記ＡＵについてのコード化ピクチャバッファ（ＣＰＢ）到着時間またはＣＰＢ名目除去時間のうち少なくとも１つを、前記第１のシンタックス要素の前記値にかかわらず導出することと、
前記ＣＰＢ到着時間または前記ＣＰＢ名目除去時間のうち１つに少なくとも部分的に基づいて、前記ＡＵの除去時間を決定することと、
前記除去時間に少なくとも部分的に基づいて、前記ＡＵのビデオデータを復号することと
を備え、
ここにおいて、前記ＡＵに関する前記ＣＰＢ名目除去時間は、前記ＡＵに関する前記ＣＰＢ除去時間についてのデフォルト値である、
方法。
【請求項２】
前記ＡＵが単一のＤＵを備えることをシグナリングする前記第１のシンタックス要素の前記値に応答して、前記ＡＵレベルについてのみＣＰＢ除去時間を導出することと、
前記ＡＵが２つ以上のＤＵを備えることをシグナリングする前記第１のシンタックス要素の前記値に応答して、前記サブピクチャレベルについてのみＣＰＢ除去時間を導出することと
をさらに備える、請求項１に記載の方法。
【請求項３】
前記ＣＰＢ到着時間または前記ＣＰＢ名目除去時間のうち前記少なくとも１つは、ＣＰＢパラメータが存在することを示す第２のシンタックス要素を受信することに応答して導出される、請求項１に記載の方法。
【請求項４】
前記ＡＵ中の第１のＤＵのＣＰＢ除去と第２のＤＵのＣＰＢ除去との間の持続時間を復号することと、
前記復号された持続時間に少なくとも部分的に基づいて、前記第１のＤＵの除去時間を決定することと、
前記除去時間、前記ＣＰＢ到着時間、または前記ＣＰＢ名目除去時間のうち少なくとも１つに少なくとも部分的に基づいて、前記第１のＤＵのビデオデータを復号することと
をさらに備える、請求項１に記載の方法。
【請求項５】
前記第２のＤＵは、復号順序で、前記第１のＤＵの後であり、前記第１のＤＵと同じＡＵ中にある、請求項４に記載の方法。
【請求項６】
１つまたは複数のサブピクチャレベルＣＰＢパラメータを復号すること、ここにおいて、前記第１のＤＵの前記除去時間を決定することは、前記復号された持続時間および前記サブピクチャレベルＣＰＢパラメータに少なくとも部分的に基づいて、前記第１のＤＵの前記除去時間を決定することを備える、
をさらに備える、請求項４に記載の方法。
【請求項７】
ピクチャタイミングＳＥＩメッセージ中またはサブピクチャタイミングＳＥＩメッセージ中でのサブピクチャレベルＣＰＢパラメータの存在を判断するためのシーケンスレベルフラグを復号すること
をさらに備える、請求項１に記載の方法。
【請求項８】
前記第１のＤＵは、ＲＳＶ＿ＮＶＣＬ４４〜ＲＳＶ＿ＮＶＣＬ４７の範囲内またはＵＮＳＰＥＣ４８〜ＵＮＳＰＥＣ６３の範囲内の、ＵＮＳＰＥＣ０に等しいｎａｌ＿ｕｎｉｔ＿ｔｙｐｅ、ＥＯＳ＿ＮＵＴ、ＥＯＢ＿ＮＵＴをもつ非ビデオコーディングレイヤ（ＶＣＬ）ネットワークアブストラクションレイヤ（ＮＡＬ）ユニットを備える、請求項１に記載の方法。
【請求項９】
前記ＡＵは、０に等しいＴｅｍｐｏｒａｌＩｄを有し、前記方法は、
前記ＡＵに関連付けられた、バッファリング期間補足強調情報（ＳＥＩ）メッセージまたは回復点ＳＥＩメッセージのうち少なくとも１つを復号すること
をさらに備える、請求項１に記載の方法。
【請求項１０】
ビデオデータを符号化するための方法であって、前記ビデオデータは１つまたは複数のアクセスユニット（ＡＵ）を備え、前記１つまたは複数のＡＵの各々は、１つまたは複数の復号ユニット（ＤＵ）を備え、前記方法は、
ＡＵについて、第１のシンタックス要素の値を決定することと、前記値は、前記ＡＵが２つ以上のＤＵを備えるかどうかをシグナリングする、
ＡＵレベルとサブピクチャレベルの両方で、前記ＡＵについてのコード化ピクチャバッファ（ＣＰＢ）到着時間またはＣＰＢ名目除去時間のうち少なくとも１つを、前記第１のシンタックス要素の前記値にかかわらず導出することと、
前記ＣＰＢ到着時間または前記ＣＰＢ名目除去時間のうち１つに少なくとも部分的に基づいて、前記ＡＵの除去時間を決定することと、
前記除去時間に少なくとも部分的に基づいて、前記ＡＵのビデオデータを符号化することと
を備え、
ここにおいて、前記ＡＵに関する前記ＣＰＢ名目除去時間は、前記ＡＵに関する前記ＣＰＢ除去時間についてのデフォルト値である、
方法。
【請求項１１】
ビデオデータを復号するためのデバイスであって、前記ビデオデータは１つまたは複数のアクセスユニット（ＡＵ）を備え、前記１つまたは複数のＡＵの各々は、１つまたは複数の復号ユニット（ＤＵ）を備え、前記デバイスは、
ＡＵについて、第１のシンタックス要素の値を決定するための手段と、前記値は、前記ＡＵが２つ以上のＤＵを備えるかどうかをシグナリングする、
ＡＵレベルとサブピクチャレベルの両方で、前記ＡＵについてのコード化ピクチャバッファ（ＣＰＢ）到着時間またはＣＰＢ名目除去時間のうち少なくとも１つを、前記第１のシンタックス要素の値にかかわらず導出するための手段と、
前記ＣＰＢ到着時間または前記ＣＰＢ名目除去時間のうち１つに少なくとも部分的に基づいて、前記ＡＵの除去時間を決定するための手段と、
前記除去時間に少なくとも部分的に基づいて、前記ＡＵのビデオデータを復号するための手段と
を備え、
ここにおいて、前記ＡＵに関する前記ＣＰＢ名目除去時間は、前記ＡＵに関する前記ＣＰＢ除去時間についてのデフォルト値である、
デバイス。
【請求項１２】
前記ＡＵが単一のＤＵを備えることをシグナリングする前記第１のシンタックス要素の前記値に応答して、前記ＡＵレベルについてのみＣＰＢ除去時間を導出するための手段と、
前記ＡＵが２つ以上のＤＵを備えることをシグナリングする前記第１のシンタックス要素の前記値に応答して、前記サブピクチャレベルについてのみＣＰＢ除去時間を導出するための手段と
をさらに備える、請求項１１に記載のビデオ復号デバイス。
【請求項１３】
前記ＣＰＢ到着時間または前記ＣＰＢ名目除去時間のうち前記少なくとも１つは、ＣＰＢパラメータが存在することを示す第２のシンタックス要素を受信することに応答して導出される、請求項１１に記載のビデオ復号デバイス。
【請求項１４】
ビデオデータを符号化するためのデバイスであって、前記ビデオデータは１つまたは複数のアクセスユニット（ＡＵ）を備え、前記１つまたは複数のＡＵの各々は、１つまたは複数の復号ユニット（ＤＵ）を備え、前記デバイスは、
ＡＵについて、第１のシンタックス要素の値を決定するための手段と、前記値は、前記ＡＵが２つ以上のＤＵを備えるかどうかをシグナリングする、
ＡＵレベルとサブピクチャレベルの両方で、前記ＡＵについてのコード化ピクチャバッファ（ＣＰＢ）到着時間またはＣＰＢ名目除去時間のうち少なくとも１つを、前記第１のシンタックス要素の前記値にかかわらず導出するための手段と、
前記ＣＰＢ到着時間または前記ＣＰＢ名目除去時間のうち１つに少なくとも部分的に基づいて、前記ＡＵの除去時間を決定するための手段と、
前記除去時間に少なくとも部分的に基づいて、前記ＡＵのビデオデータを符号化するための手段と
を備え、
ここにおいて、前記ＡＵに関する前記ＣＰＢ名目除去時間は、前記ＡＵに関する前記ＣＰＢ除去時間についてのデフォルト値である、
デバイス。
【請求項１５】
実行されると、デバイスのプロセッサに、請求項１から請求項１０のうちの何れかに従って方法を実行させる、命令を記憶したコンピュータ可読記憶媒体。